(57)【要約】【課題】防災用品の収納部を設けた敷布団に関し、予め準備した防災用品を容易に、かつ速やかに持ち出すことができ、置き場所が変わるおそれがなく、安眠を妨げることなく各種の防災用品を収納可能にする。【解決手段】辺の一部に防災用品の収納部３を設けた就寝用の敷布団を提供する。防災用品収納部３を設ける最も好ましい箇所は、敷布団１の長手方向の一方の端辺１ｃに沿う部分１ｄ及びその隅部分１ｂである。収納される防災用品には、頭部を保護する防災頭巾２を含ませるのが便利である。防災頭巾２の表裏の織布の間に敷布団１に入れたものと同じクッション材を入れることによって、防災用品収納部３に敷布団１と同レベルのクッション性を持たせることができる。防災頭巾２には、被ったときの下方部ないし前縁部となる部分に、防災頭巾以外の防災用品８を収納する複数領域に区画されたポケット９を設けておくのが良い。【選択図】図９
2010088855.tif 000002
【特許請求の範囲】
【請求項１】
辺部分に防災用品収納部(3)を備えている就寝用敷布団。
【請求項２】
長手方向一端の端辺からの寸法が４０ｃｍの領域内に防災用品収納部(3)を備えている就寝用敷布団。
【請求項３】
防災用品収納部(3)に、二つ折りにしてその長手一辺相互を係着具(4a,4b)で係着することにより防災頭巾(2)を形成する、敷布団本体(1a)と等しいかそれより薄い厚さの矩形の切り離し片(1e)が、前記係着具で敷布団本体(1a)に係着して収容されている、請求項２記載の就寝用敷布団。
【請求項４】
切り離し片(1e)の長手両端部分に防災頭巾以外の防災用品を入れる複数に区画されたポケット(9)を備えている、請求項３記載の就寝用敷布団。
【請求項５】
防災用品収納部(3)が、前記端辺側の隅部(1b)に設けられている、請求項２記載の就寝用敷布団。
【請求項６】
防災用品が、前記隅部をＬ形に切欠いた敷布団本体(1a)の当該切欠部の縁に頭頂部及び後頭部において離脱可能に係着された防災頭巾(2)を含んでいる、請求項５記載の就寝用敷布団。
【請求項７】
前記防災頭巾が、当該防災頭巾を被ったときの下方部ないし前縁部に防災頭巾以外の防災用品を収納する複数領域に区画されたポケット(9)を備えている、請求項６記載の就寝用敷布団。
【請求項８】
前記防災用品収納部が一隅をＬ形に切欠いた敷布団本体(1a)の当該切欠部の縁に係着されている複数領域に区画されたポケット(9)を備えている収納袋(13)である、請求項２記載の就寝用敷布団。
【請求項９】
前記ポケットが前記端辺の一方の側端からの寸法が２０ｃｍの領域内に設けられている、請求項８記載の就寝用敷布団。
【発明の詳細な説明】
【技術分野】
【０００１】
この発明は、就寝用の敷布団（就寝時に体の下に敷いて用いるある程度の厚みとクッション性を備えたシートであって、マットレス、敷きマット、ベッドマットなどと呼ばれるものを含む。）に関するもので、災害時に身に付けたり持ち出す必要のある防災用品の収納部を設けた寝具に関するものである。
【背景技術】
【０００２】
地震などの災害時に防災のために身に付けたり、緊急に持ち出す必要のある品物（この出願で「防災用品」という。）を予めリュックサックなどに入れて所定の位置に置いておくことは、一般的に推奨されることである。被災したときに最も危険が高いのは就寝時で、事態を急には認識することができず、動転したり、あるいは朦朧とした状態で避難することを余儀なくされ、予め防災用品を袋などに纏めて入れておいたとしても、それを持ち出すのを忘れたり、それを取りに行く余裕がなかったりして、せっかくの準備が無駄になるということが起りやすい。
【０００３】
そこで防災用品を入れたリュックサックなどは、就寝場所の近くの一定の場所に置いておくのがよいが、防災用品の中には預金通帳などの日常的にも使用する品物が含まれており、それを使用するためにリュックサックを他の場所に持ち出して元の場所に戻すのを忘れるということも起りうる。「災害は忘れた頃にやってくる」という言葉によく表されているように、防災用品の置き場所を決めても、日常生活での便宜が優先されて、置き場所がだんだん守られなくなるということは、極めて起りやすいことである。
【０００４】
就寝時でも防災用品をすぐに持ち出すことができるように、防災頭巾を収納した枕や、防災用品を収納したリュックサックを収納した枕などが提案されている。就寝時に災害が起ったとき、枕を抱えて飛び出せばよいという便利さはあるが、その上に直接頭を載せて眠るものであるため、硬い品物、例えば懐中電灯やラジオ、履物などを収納すると、安眠が阻害される問題が生ずる。そのため、枕に収納できるものは、防災頭巾などの柔らかいものに限られるという問題があり、更に枕はある程度クッション性のある敷布団の上に置かれて硬い頭が載せられるので、就寝時に枕が湾曲して収納した品物に曲り癖がついたり折れたりする問題がある。
【特許文献１】登録実用新案第３０１３９２２号公報
【特許文献２】登録実用新案第３１１２６７８号公報
【発明の開示】
【発明が解決しようとする課題】
【０００５】
この発明は、災害が就寝時に発生したときに、予め準備した防災用品を容易に、かつ速やかに持ち出すことができ、置き場所が変わるおそれがなく、かつ安眠を妨げることなく各種の防災用品を収納可能にした寝具を提供することを課題としている。
【課題を解決するための手段】
【０００６】
この発明は、辺の一部に防災用品の収納部３を設けた就寝用の敷布団を提供することにより、上記課題を解決している。防災用品収納部３を設ける最も好ましい箇所は、敷布団１の長手方向の一方の端辺１ｃに沿う部分１ｄである。この発明の敷布団１は、防災用品収納部３を設けた側の端辺１ｃを頭側にして使用する。
【０００７】
図１４に示すように、仰臥した成人男子の頭頂から肩までの寸法ａは、約３０ｃｍ、頭側から上腕までの寸法ｂは、約１３〜１５ｃｍである。就寝するときは、枕１５を使うので、敷布団１の頭側の端辺１ｃからＡ＝３０〜４０ｃｍの領域１ｄ（図１５参照）は、腕を上げたとき以外、身体が直接触れることはない。従って、この領域１ｄやその隅部１ｂに防災用品収納部３を設けるのがよい。敷布団１の端辺１ｃに沿う領域１ｄを切り離したり、その一隅ないし両隅をＬ形に切り欠いて、当該切り離した部分や切欠いた部分を防災用品収納部３とすることで、安眠を妨げることなく防災用品を収納できるからである。防災用品収納部３を設けるのに適した他の箇所としては、敷布団１の側辺の中央部１ｆ（図１５参照）を挙げることができる。
【０００８】
収納される防災用品には、頭部を保護する防災頭巾２を含ませるのが便利である。防災頭巾２の表裏の表布の間に敷布団１に入れたものと同じクッション材を入れることによって、防災用品収納部３に収納した防災頭巾２に敷布団１と同レベルのクッション性を持たせることができる。
【０００９】
懐中電灯やラジオのような硬いもの、あるいは壊れやすいものを収納するポケット９は、敷布団１の角に近い部分か枕１５の下の部分に設けるのがよい。就寝時に枕を動かすこともあるので、敷布団１の角の部分１ｂに、人の頭と体の寸法差によって生ずる空間（図１４のＡ×Ｂの領域。特に側辺からの寸法が２０ｃｍ以内の領域）に設けるのが最もよい。
【００１０】
この出願の発明に係る就寝用敷布団は、敷布団の長手方向の一方の端辺又は側辺の部分に防災用品収納部３を備えていることを特徴とする。辺部分に備えることにより、寝た人が直接触れることが少なく、安眠の妨げになることがない。防災用品収納部３を設けるのに特に適した箇所は、敷布団の長手方向一端の端辺１ｃに沿う当該端辺から４０ｃｍの領域内である。当該一端を頭側にして寝れば、その端辺の隅部１ｂは、寝た人が触れる可能性が最も少ない領域であり、当該端辺に沿う領域の中央部は、枕の下になる領域である。
【００１１】
本願の発明に係るより好ましい構造の就寝用敷布団は、防災用品収納部３に防災頭巾２が収納されている就寝用敷布団である。防災頭巾２は、敷布団の長手一端辺１ｃに沿う部分１ｄを切り離した、又はその隅部１ｂをＬ形に切欠いた敷布団本体１ａの当該切り離し部や切欠部の縁に、離脱可能に係着された状態で収納される。防災頭巾２には、被ったときの下方部ないし前縁部となる部分に、防災頭巾以外の防災用品８を収納する複数に区画されたポケット９を設けておけば、当該ポケットに各種の防災用品を収納しておくことができ、防災頭巾２を被って避難すれば、それらの防災用品を手を使わずに持ち出すことができる。
【００１２】
防災頭巾を収納しないときは、一隅をＬ形に切欠いた敷布団本体１ａの切欠部に、複数に区画されたポケット９を備た収納袋１３を、そのＬ形の切欠部の縁に離脱可能に係着して設けるのが良い。このポケット９は、防災用品収納部を設けた端辺の一方の端の側辺からの寸法が２０ｃｍ以内の領域内に設けるのが良い。これにより、ポケット９に収納した懐中電灯などの硬い品物によって布団のクッション性が低下した箇所に寝た人の身体が触れるのを最小にできる。
【発明の効果】
【００１３】
この発明によれば、災害発生時に緊急に持ち出す必要のある防災用品を最も危険な就寝時の身近に置いておくことができ、たとえ日常の必要のために防災用品を他へ持ち出したとしても、就寝時に元に戻されることになり、置き場所が変わらないから災害発生時に戸惑うことなく速やかに防災用品を持って避難することができる。
【００１４】
また、敷布団１の就寝時に人体が直接触れることが殆ど無い箇所に防災用品収納部３を設けているので、就寝者の安眠を妨げることがない。
【００１５】
また、防災用品に防災頭巾２を含ませることにより、防災用品収納部３に敷布団本体１ａと変わらないクッション性を持たせることができる。更に、この防災頭巾２の前縁部や裾の部分に懐中電灯や預金通帳などの防災頭巾以外の防災用品を収納するポケット９を設けておけば、防災頭巾２を被って避難することにより、複数の防災用品を一括して持ち出すことができると共に、避難時に両手を使えて便利である。また、防災頭巾２の側布５に、被ったときに水平方向となる懐中電灯ホルダ９ａを設けておくことにより、夜間の避難時に懐中電灯ホルダ９ａに懐中電灯を差込んでヘッドランプとすることができる。なお、ポケット９を複数に区画して設けることにより、複数の防災用品８・・・が整然と収納され、敷布団として使用するときに防災用品収納部３の表面に凹凸が生ずるのを避けることができ、被ったときも頭巾が安定する。
【発明を実施するための最良の形態】
【００１６】
以下、図面を参照して、この発明の好ましい実施形態を説明する。図１ないし図５は第１実施例、図６及び図７は第２実施例、図８及び図９は第３実施例、図１０及び図１１は第４実施例、図１２及び図１３は第５実施例を示した図である。
【００１７】
図において、１は敷布団、１ａは敷布団本体、１ｂは敷布団の隅部分、１ｃは敷布団の使用時に頭側となる端辺、１ｄはこの端辺１ｃに沿う部分、１ｅは当該部分１ｄを切り離した切り離し片、１ｆは敷布団の側辺部の中央部、２は防災頭巾、２ａはその側布の裾の部分、３は防災用品収納部、４（４、４ａ、４ｂ）は面ファスナーなどの係着具、５は防災頭巾の側布、６は防災頭巾の顎紐、７は敷布団カバー、８は防災頭巾以外の防災用品、９は防災頭巾以外の防災用品を収納するポケット、９ａは懐中電灯ホルダ、１１（１１、１１ａ、１１ｂ）は敷布団本体側に設けた面ファスナーなどの係着具、１３は防災用品収納袋、１４は布団カバーのファスナー、１５は枕、１６は敷布団本体１ａと切り離し片１ｅを繋ぐ繋ぎ布、１６ａはこの繋ぎ布の突出部、１７（１７ａ、１７ｂ）は顎紐６の先端を係止する面ファスナーである。
【００１８】
図１〜５に示す第１実施例は、敷布団１の端辺１ｃにポケット９を備えた防災頭巾２を収納した例である。敷布団１は、長手方向の一方の端辺１ｃを所定幅で切り離して、敷布団本体１ａと矩形の切り離し片１ｅとを形成し、この切り離し片１ｅを開いた状態の防災頭巾２とした構造である。矩形の切り離し片１ｅが収まる部分が防災用品収納部３である。
【００１９】
切り離し片１ｅには、その一方の面の一方の長辺（敷布団の幅方向の辺）に沿って細い短冊状の雄雌の面ファスナー４ａ、４ｂが設けられている。一方、敷布団本体１ａの一方の面の一方の短辺（敷布団の幅方向の辺）に沿って、短冊状の繋ぎ布１６がその幅寸法の略半分を当該辺から突出させた状態で縫着されている。そして、この繋ぎ布の突出部１６ａの敷布団本体１ａ側を向く面の前記面ファスナー４ａ、４ｂに対応する箇所に、雌雄の面ファスナー１１ｂ、１１ａが設けられている。
【００２０】
切り離し片１ｅは、面ファスナー４ａ、４ｂを繋ぎ布の面ファスナー１１ｂ、１１ａに貼着することにより、敷布団本体１ａに結合されて全体としての敷布団１が形成され、一般にはその上から一枚の布団カバーが被せられる。敷布団１を包込む布団カバーを設けるときは、図３に示すように、当該布団カバー７に、切り離し片１ｅが収まっている防災用品収納部３を開くことが可能なファスナー１４を設けておく。
【００２１】
切り離し片１ｅは、敷布団本体１ａから引き剥がしてその長手中央で二つ折りにし、自身の雄雌の面ファスナー４ａ、４ｂを貼着することにより、図５に示すように防災頭巾２を形成する。面ファスナー４ａ、４ｂで貼着された側が後頭部側となる。面ファスナー４ａ、４ｂは、切り離し片１ｅの長辺の長さより短い長さで設けられており、貼着されない両端の部分が被ったときに肩の上にかかる裾の部分２ａとなる。
【００２２】
図の例では、切り離し片１ｅの長手方向両端の部分に、防災頭巾以外の防災用品８・・・を収容する区画された複数のポケット９が設けられている。このポケット９が設けられた部分は、敷布団として使用するときは人体が殆ど触れない枕の両側の部分１ｂ（図１５参照）であり、防災頭巾としたときの裾の部分２ａとなる部分である。
【００２３】
この構造は、比較的薄い敷布団に適した構造であるが、敷布団本体１ａが厚いとき、例えば４枚のシート状の中綿が使われている敷布団本体の防災用品収納部３に、２枚のシート状の中綿を入れた２個の切り離し片を重ねて収納すれば、一つの敷布団に２人分の防災頭巾を収納した敷布団とすることができる。
【００２４】
防災頭巾２は、被ったときの前後方向の幅寸法が略２５〜３０ｃｍであり、この寸法が切り離し片１ｅの幅寸法となる。防災頭巾２の高さ方向の寸法は、敷布団の幅寸法の１／２であり、略４０〜６０ｃｍ程度の大きさである。顎紐６は、防災頭巾としたときに前縁外側となる位置に基端を縫着して設けられている。顎紐６の先端には面ファスナー１７ａが設けられ、切り離し片１ｅの当該先端を貼着すべき位置に対応する面ファスナー１７ｂが設けられている。
【００２５】
ポケット９には、懐中電灯やラジオ、預金通帳などの避難時に持ち出すものを予め収納しておく。避難時以外にこれらのものを使用するときは、布団カバーを一部外すか布団カバーのファスナー１４を開いて、ポケット９から使うものを取出し、使用した後もとのポケットに戻しておく。避難時には、布団カバーを外すかファスナー１４を開いて、切り離し片１ｅを引き剥がし、二つ折りにして面ファスナー４ａ、４ｂを設けた辺部分を両手で押付けることにより防災頭巾を形成して被り、顎紐６の先端の面ファスナー１７ａを対応する面ファスナー１７ｂに止める。なお、これらの面ファスナー４、１１、１７に代えて、ボタンとボタン掛け、ホックなどの衣料品や寝具に使われている公知の係着具を用いることができる。
【００２６】
懐中電灯などを入れるポケット９は、敷布団１の枕の両側の角に近い部分に位置するので、安眠を妨げることがない。また防災頭巾として被ったときに、これらのポケット９は、肩から顎の両側に位置することとなるので、頭部を保護することの妨げにはならず、防災頭巾としての機能を損ねることがない。また、必要な幾種類かの防災用品８・・・を防災頭巾２と共に持ち出すことができ、この状態で両手が使えるので、他の防災用品を持ち出すことも可能であり、避難時に手が自由に使えて便利である。
【００２７】
図６及び７に示す第２実施例は、防災用品収納部３に防災頭巾２のみを収納した例である。敷布団１は、隅部をＬ形に切り欠いて防災用品収納部３を形成した敷布団本体１ａを備え、当該切り欠いた領域と等しい側面形状を備えた防災頭巾２を当該切欠部に収納した構造である。この構造は、比較的薄い敷布団に適した構造で、敷布団本体１ａに例えば４枚のシート状の中綿が使われているときに、防災頭巾２の布として表裏の織布の間に２枚のシート状の中綿を入れた布を用い、頭の左右に来る中綿入りの側布５、５を重ねたときの厚さが敷布団本体１ａの厚さと等しい厚さになるようにしてある。
【００２８】
防災頭巾２は、その頭頂部と後頭部に相当する部分に面ファスナー４やボタン掛けなどの離脱可能な係着具が取り付けられており、敷布団本体１ａのＬ形の切欠縁に設けた面ファスナー１１やボタンなどの係着具に係着した状態で敷布団本体１ａと結合されて１枚の敷布団１として使用するものである。災害発生時には、防災頭巾２を掴んで敷布団本体１ａから引き離すことにより、避難時の防災頭巾として使用することができる。
【００２９】
防災頭巾２は、被ったときの前後方向の幅寸法が略２５ｃｍ、高さ方向の寸法が略４０ｃｍ程度の大きさである。図８及び９に示した第３実施例は、そのような大きさの防災頭巾２を横方向、すなわち防災頭巾としての上下方向が敷布団１の幅方向となるようにし、かつ防災頭巾の側布５の被ったときの裾の部分２ａが敷布団の角に近い位置に来るようにして、敷布団１の一隅をＬ形に切り欠いて設けた防災用品収納部３に収納した構造である。
【００３０】
第３実施例の防災頭巾２は、側シートの裾の部分２ａに懐中電灯やラジオ、預金通帳などの防災頭巾２以外の防災用品８・・・を入れるための区画された複数のポケット９・・・を備えており、更に一方の側布５のポケット９・・・の上の部分に、懐中電灯ホルダ９ａが形成されている。懐中電灯ホルダ９ａは、被ったときに水平方向となる細長いポケットで、側布５の前縁に開口している。この第３実施例の防災頭巾２も第２実施例の防災頭巾と同様に、その頭頂部と後頭部の部分に設けた係着具４（図７参照）を敷布団本体１ａのＬ形の切欠縁に設けた係着具１１と係着することによって、敷布団本体１ａと結合される。
【００３１】
このように結合したとき、懐中電灯などを入れるポケット９は、敷布団１の角に近い部分に位置することになり、また防災頭巾を取り外して被ったときに、これらのポケット９は、肩から顎の両側に位置することとなるので、頭部を保護することの妨げにはならず、防災頭巾としての機能を損ねることがない。また、必要な幾種類かの防災用品８・・・を防災頭巾２と共に持ち出すことができ、この状態で両手が使えるので、他の防災用品を持ち出すことも可能であり、避難時に手が自由に使えて便利である。
【００３２】
必要な防災用品を総て収納する大きさのポケットを防災頭巾２に設けることができないときは、第４、５実施例に示すような防災用品収納部を敷布団１の幅方向反対側の隅部分１ｂに設けてそこに収納しておけばよい。
【００３３】
図１０及び図１１に示す第４実施例は、敷布団１の隅部の積層した中綿の間に複数に区画されたポケット９を形成して、防災用品収納部３としたものである。敷布団１のカバー７には、ポケット９を設けた部分にファスナー１４を取り付け、このファスナーを開くことによって、ポケット９への防災用品の出し入れができるようにしてある。
【００３４】
第４実施例の構造では、避難時にポケット９の複数の区画から防災用品を１つずつ取り出さねばならないので不便である。図１２及び図１３に示した第５実施例は、複数のポケット９を形成した収納袋１３を実施例２、３の防災頭巾と同様な構造で敷布団１に形成したＬ形の切欠縁に係着して設けた構造である。
【００３５】
すなわち、収納袋１３は、側面（敷布団本体１ａと一体化したときに上下になる面）を中綿入りの布で形成し、この２枚の中綿入りの布の間に複数に区画されたポケット９を形成したものである。ポケット９は、収納袋１３に設けたファスナー１４で閉じられるようになっている。この収納袋１３は、敷布団本体１ａの隅をＬ形に切り欠いて形成した防災用品収納部３に第２、３実施例で説明したような係着具４、１１で結合されており、災害発生時には収納袋１３を敷布団本体１ａから引き剥がして携行する。
【００３６】
以上説明した実施例は、いずれも敷布団１の長手方向の一方の端辺１ｃないしその隅部に防災用品収納部３を形成したものであるが、図１５に示すように、当該端辺に沿う部分１ｄの枕１５の下となる中央部に例えば第４実施例で示したような防災用品収納部を形成することもできる。また、敷布団１の側辺の寝た人の胴に対応する部分１ｆに防災用品収納部を設けることも可能である。この部分１ｆは、寝ている人が直接触れる確率が少ない。また、３枚折れのマットレスの場合には、中間のマットの隅の部分が大略符号１ｆで示す位置となり、第５実施例で示した構造の採用が可能である。
また以上の実施例は、シングルの敷布団に一人分の防災用品を収納する例を示したが、ダブルの敷布団に２人分の防災用品を収納するときは、図１５に示す両側の角や辺の領域１ｂ、１ｆをそれぞれ一人分の防災用品収納部とするとか、布団巾が広いときは図１５に１ｄで示す領域に２人分の２つ折りにして使用する防災頭巾を並べて収納するとかの構造が可能である。
【図面の簡単な説明】
【００３７】
【図１】第１実施例を防災頭巾となる切り離し片を収納した状態で示す要部の斜視図
【図２】図１を裏側から見た斜視図
【図３】図１に布団カバーを掛けた状態を示す斜視図
【図４】図２の切り離し片を取外した状態を示す斜視図
【図５】図４で取外した切り離し片から形成される防災頭巾を示す斜視図
【図６】第２実施例を防災頭巾を収納した状態で示す要部の斜視図
【図７】図６の防災頭巾を取り外した状態を示す斜視図
【図８】第３実施例を防災頭巾を収納した状態で示す要部の斜視図
【図９】図８の防災頭巾を取り外した状態を示す斜視図
【図１０】第４実施例の要部を示す斜視図
【図１１】図１０の要部の拡大斜視図
【図１２】第５実施例を防災用品を収納した状態で示す要部の斜視図
【図１３】図１２の防災用品を取り外した状態を示す斜視図
【図１４】人の頭と肩の間にできる空間を示す模式的な平面図
【図１５】防災用品収納部を設けることができる敷布団の部分を示す平面図
【符号の説明】
【００３８】
1a  敷布団本体
1e  切り離し片
２  防災頭巾
３  防災用品収納部
4,4a,4b  面ファスナー
９  ポケット
11,11a,11b  面ファスナー
13  収納袋
【図１】
2010088855.tif 000003
【図２】
2010088855.tif 000004
【図３】
2010088855.tif 000005
【図４】
2010088855.tif 000006
【図５】
2010088855.tif 000007
【図６】
2010088855.tif 000008
【図７】
2010088855.tif 000009
【図８】
2010088855.tif 000010
【図９】
2010088855.tif 000011
【図１０】
2010088855.tif 000012
【図１１】
2010088855.tif 000013
【図１２】
2010088855.tif 000014
【図１３】
2010088855.tif 000015
【図１４】
2010088855.tif 000016
【図１５】
2010088855.tif 000017